(57)【要約】【課題】綴じ具によって綴じられた媒体が媒体搬送路に搬送されるのを防止することができるようにする。【解決手段】媒体を載置するための媒体載置部と、前記媒体を媒体搬送路に供給する媒体供給部と、該媒体供給部による媒体の媒体搬送路への供給に伴って媒体に生じる搬送異常を検出し、検出信号を生成する検出部と、該検出部の検出信号を受けて、媒体が綴じ具によって綴じられているかどうかを判断する媒体状態判断処理部とを有する。媒体状態判断処理部による判断に基づいて、媒体の搬送が停止させられるので、媒体を繰り出すときに紙詰まりが発生したり、媒体が破断したりするのを防止することができる。【選択図】図１
2020001897.tif 000002
【特許請求の範囲】
【請求項１】
（ａ）媒体を載置するための媒体載置部と、
（ｂ）前記媒体を媒体搬送路に供給する媒体供給部と、
（ｃ）該媒体供給部による媒体の媒体搬送路への供給に伴って媒体に生じる搬送異常を検出し、検出信号を生成する検出部と、
（ｄ）該検出部の検出信号を受けて、媒体が綴じ具によって綴じられているかどうかを判断する媒体状態判断処理部とを有することを特徴とする媒体搬送装置。
【請求項２】
前記検出部は、媒体供給部による媒体の媒体搬送路への供給に伴って媒体に生じる変形を検出することによって搬送異常を検出する請求項１に記載の媒体搬送装置。
【請求項３】
前記検出部は、媒体供給部による媒体の媒体搬送路への供給に伴って媒体に生じる撓みを検出することによって搬送異常を検出する請求項２に記載の媒体搬送装置。
【請求項４】
（ａ）前記媒体載置部の上方に揺動部材が揺動自在に配設され、
（ｂ）前記検出部は、前記揺動部材と対向させて配設され、媒体に当接して回動させられる揺動部材の回動を検出することによって媒体の撓みを検出する請求項３に記載の媒体搬送装置。
【請求項５】
前記検出部は、媒体供給部による媒体の媒体搬送路への供給に伴って媒体に生じるめくれを検出することによって搬送異常を検出する請求項２に記載の媒体搬送装置。
【請求項６】
（ａ）前記媒体載置部に、媒体の移動を規制する規制部材が形成され、
（ｂ）前記検出部は、前記規制部材に配設され、媒体が規制部材によって規制されるのに伴い媒体のめくれを検出する請求項５に記載の媒体搬送装置。
【請求項７】
前記規制部材は、前記媒体載置部の両縁において、互いに対向させて配設される請求項６に記載の媒体搬送装置。
【請求項８】
前記媒体状態判断処理部によって、媒体が綴じられていると判断されると、媒体搬送路に沿った媒体の搬送を停止させる媒体搬送処理部を有する請求項１〜７のいずれか１項に記載の媒体搬送装置。
【請求項９】
前記媒体状態判断処理部によって、媒体が綴じられていると判断されると、媒体が綴じられていることを操作者に通知する通知処理部を有する請求項１〜８のいずれか１項に記載の媒体搬送装置。
【請求項１０】
（ａ）前記媒体供給部は媒体を分離する分離部材を備え、
（ｂ）前記検出部は媒体搬送路における分離部材より上流側に配設される請求項１に記載の媒体搬送装置。
【請求項１１】
前記媒体搬送路における媒体供給部より下流側に重送センサが配設される請求項１０に記載の媒体搬送装置。
【請求項１２】
（ａ）前記請求項１〜１１のいずれか１項に記載の媒体搬送装置と、
（ｂ）媒体の画像を読み取る読取部と、
（ｃ）前記媒体状態判断処理部によって、媒体が綴じられていると判断されると、画像の読取りを停止させる画像読取処理部とを有することを特徴とする画像読取装置。
【発明の詳細な説明】
【技術分野】
【０００１】
本発明は、媒体搬送装置及び画像読取装置に関するものである。
【背景技術】
【０００２】
従来、スキャナ、複写機、ファクシミリ、複合機等の画像読取装置には、媒体としての原稿を搬送するために、媒体搬送装置としての自動原稿搬送部（ＡＤＦ：Ａｕｔｏ  Ｄｏｃｕｍｅｎｔ  Ｆｅｅｄｅｒ）が配設され、該自動原稿搬送部において、原稿載置部に載置された各種のサイズの原稿が１枚ずつ繰り出され、スキャナ部に給紙されるようになっている（例えば、特許文献１参照。）。
【先行技術文献】
【特許文献】
【０００３】
【特許文献１】特開２０１７−１４９５０４号公報
【発明の概要】
【発明が解決しようとする課題】
【０００４】
しかしながら、従来の自動原稿搬送部は、通常１〔枚〕の原稿が搬送される原稿搬送路を複数の原稿が重なって搬送された場合、原稿が重なっていることを検出することができるが、ホッチキス（登録商標）の針、クリップ等の綴じ具によって綴じられた原稿が搬送された場合、原稿が綴じられていることを検出することができない。その結果、原稿が繰り出されるときに紙詰まりが発生したり、原稿が破断したりしてしまう。
【０００５】
本発明は、前記従来の自動原稿搬送部の問題点を解決して、綴じ具によって綴じられた媒体が媒体搬送路に搬送されるのを防止することができる媒体搬送装置及び画像読取装置を提供することを目的とする。
【課題を解決するための手段】
【０００６】
そのために、本発明の媒体搬送装置においては、媒体を載置するための媒体載置部と、前記媒体を媒体搬送路に供給する媒体供給部と、該媒体供給部による媒体の媒体搬送路への供給に伴って媒体に生じる搬送異常を検出し、検出信号を生成する検出部と、該検出部の検出信号を受けて、媒体が綴じ具によって綴じられているかどうかを判断する媒体状態判断処理部とを有する。
【発明の効果】
【０００７】
本発明によれば、媒体搬送装置においては、媒体を載置するための媒体載置部と、前記媒体を媒体搬送路に供給する媒体供給部と、該媒体供給部による媒体の媒体搬送路への供給に伴って媒体に生じる搬送異常を検出し、検出信号を生成する検出部と、該検出部の検出信号を受けて、媒体が綴じ具によって綴じられているかどうかを判断する媒体状態判断処理部とを有する。
【０００８】
この場合、検出部が、媒体供給部による媒体の媒体搬送路への供給に伴って媒体に生じる搬送異常を検出し、検出信号を生成すると、媒体状態判断処理部が、検出信号を受けて、媒体が綴じられているかどうかを判断するので、媒体状態判断処理部による判断に基づいて、媒体の搬送が停止させられる。したがって、媒体が繰り出されるときに紙詰まりが発生したり、媒体が破断したりするのを防止することができる。
【図面の簡単な説明】
【０００９】
【図１】本発明の実施の形態における画像読取装置の制御ブロック図である。
【図２】本発明の実施の形態における画像読取装置の概念図である。
【図３】本発明の実施の形態における自動原稿搬送部の要部平面図である。
【図４】本発明の実施の形態における回転レバーの斜視図である。
【図５】本発明の実施の形態における綴じ具によって前端部が綴じられた複数の原稿が原稿載置台に載置された状態を示す自動原稿搬送部の要部平面図である。
【図６】本発明の実施の形態における綴じ具によって前端部が綴じられた複数の原稿が原稿載置台に載置された状態を示す自動原稿搬送部の要部断面図である。
【図７】本発明の実施の形態における原稿に撓みが生じた状態を示す自動原稿搬送部の要部断面図である。
【図８】本発明の実施の形態における原稿に撓みが生じた状態を示す自動原稿搬送部の要部平面図である。
【図９】本発明の実施の形態における綴じ具によって後端部が綴じられた複数の原稿が原稿載置台に載置された状態を示す自動原稿搬送部の要部平面図である。
【図１０】本発明の実施の形態における綴じ具によって後端部が綴じられた複数の原稿が原稿載置台に載置された状態を示す自動原稿搬送部の要部断面図である。
【図１１】本発明の実施の形態における原稿にめくれが生じた状態を示す自動原稿搬送部の要部断面図である。
【図１２】本発明の実施の形態における原稿にめくれが生じた状態を示す自動原稿搬送部の要部平面である。
【発明を実施するための形態】
【００１０】
以下、本発明の実施の形態について図面を参照しながら詳細に説明する。この場合、画像読取装置、及び該画像読取装置に配設された媒体搬送装置としての自動原稿搬送部について説明する。
【００１１】
図２は本発明の実施の形態における画像読取装置の概念図、図３は本発明の実施の形態における自動原稿搬送部の要部平面図、図４は本発明の実施の形態における回転レバーの斜視図である。
【００１２】
図において、１０は画像読取装置、Ｂｄは該画像読取装置１０の本体、すなわち、装置本体、１２は該装置本体Ｂｄに対して回動自在に配設された蓋体としてのカバーである。
【００１３】
前記装置本体Ｂｄは、装置本体Ｂｄの上面に配設され、図示されない冊子状の原稿、又は図示されないシート状の原稿を載置するための透過板から成る第１の原稿支持部としてのフラットベッド１４、及び該フラットベッド１４の下方において移動自在に配設された読取部としてのスキャナ部１６を備える。
【００１４】
また、前記カバー１２は、揺動に伴って前記フラットベッド１４を開閉するスキャナカバー部１７、及び該スキャナカバー部１７の上方において、スキャナカバー部１７と一体に形成され、媒体としての複数のシート状の原稿Ｐを自動的に搬送する自動原稿搬送部（ＡＤＦ：Ａｕｔｏ  Ｄｏｃｕｍｅｎｔ  Ｆｅｅｄｅｒ）１８を備える。
【００１５】
前記スキャナ部１６は、走査方向に延在させて配設された図示されない読取センサを備え、フラットベッド１４に載置された原稿の画像を読み取る場合、装置本体Ｂｄ内に設定されたホームポジションとしての読取位置Ｈａに置かれ、自動原稿搬送部１８によって搬送される原稿Ｐの画像を読み取る場合、フラットベッド１４の下方において副走査方向（矢印Ａ方向）に移動させられる。
【００１６】
また、前記自動原稿搬送部１８は、前記原稿Ｐを載置するための媒体載置部としての、かつ、第２の原稿支持部としての原稿載置台２４、回転自在に配設され、該原稿載置台２４に載置された原稿Ｐの前端に当接させられて、原稿Ｐを１枚ずつ繰り出す繰出部材としてのピックアップローラ２６、前記原稿載置台２４の前端に回転自在に配設され、ピックアップローラ２６によって繰り出された原稿Ｐを１枚ずつ分離させて媒体搬送路としての原稿搬送路Ｒｔ１に供給、すなわち、給紙する媒体供給部としての給紙ローラ対ｍ１、原稿搬送路Ｒｔ１における給紙ローラ対ｍ１より下流側に回転自在に配設され、原稿Ｐを搬送する搬送ローラ対ｍ２、原稿搬送路Ｒｔ１における搬送ローラ対ｍ２より下流側に回転自在に配設され、原稿Ｐを搬送する搬送ローラ対ｍ３、原稿搬送路Ｒｔ１における搬送ローラ対ｍ３より下流側において、フラットベッド１４に当接させて、かつ、前記読取位置Ｈａと対向させて配設され、原稿Ｐをフラットベッド１４に押し付ける原稿押え部材３１、原稿搬送路Ｒｔ１における原稿押え部材３１より下流側に回転自在に配設され、原稿Ｐを搬送する搬送ローラ対ｍ４、原稿搬送路Ｒｔ１における搬送ローラ対ｍ４より下流側に回転自在に配設され、原稿Ｐを前記スキャナカバー部１７の上面に形成された原稿排出部としてのスタッカＳｔに排出する排出ローラ対ｍ５等を有する。
【００１７】
前記原稿載置台２４の両縁には、原稿載置台２４に載置された原稿Ｐが幅方向に移動するのを規制するための一対のガイドＧＬ、ＧＲが、原稿載置台２４から立ち上げて、かつ、原稿Ｐのサイズに応じて左右方向に移動自在に配設される。
【００１８】
前記原稿搬送路Ｒｔ１は「Ｕ」字状の形状を有し、原稿Ｐは、給紙ローラ対ｍ１によって給紙され、装置本体Ｂｄ内を原稿搬送路Ｒｔ１に沿って下方に向けて搬送され、原稿押え部材３１を通過した後、上方に向けて搬送される。
【００１９】
前記給紙ローラ対ｍ１は、原稿搬送路Ｒｔ１の外縁側に配設され、原稿Ｐを給紙するための給紙部材としての給紙ローラ２７、及び原稿搬送路Ｒｔ１の内縁側に配設され、原稿Ｐを分離させるための分離部材としての分離ローラ２８から成る。
【００２０】
また、前記搬送ローラ対ｍ２〜ｍ４及び排出ローラ対ｍ５は、それぞれ、原稿搬送路Ｒｔ１の外縁側に配設されたローラ部、及び原稿搬送路Ｒｔ１の内縁側に配設されたローラ部から成り、各ローラ部は、図３に示されるように（図３においては搬送ローラ対ｍ２だけが示される。）、シャフトｓｈ１、及び該シャフトｓｈ１の長さ方向における複数箇所に配設されたローラｒｉ（ｉ＝１、２、…）から成る。なお、前記給紙ローラ対ｍ１、搬送ローラ対ｍ２〜ｍ４及び排出ローラ対ｍ５によって、原稿Ｐを搬送する搬送部材が構成される。
【００２１】
そして、前記原稿載置台２４の上方におけるピックアップローラ２６と近接する位置に、第１の媒体検出部としての原稿センサｓ１が原稿Ｐと対向させて配設され、前記原稿搬送路Ｒｔ１における給紙ローラ対ｍ１より下流側に、給紙ローラ対ｍ１に近接させて第２の媒体検出部としての給紙センサｓ２が配設され、前記原稿搬送路Ｒｔ１における給紙センサｓ２より下流側に、第３の媒体検出部としての重送センサｓ３が搬送ローラ対ｍ２に近接させて配設され、前記原稿搬送路Ｒｔ１における搬送ローラ対ｍ３より下流側に、第４の媒体検出部としてのスキャンタイミングセンサｓ４が原稿押え部材３１に近接させて配設される。
【００２２】
前記原稿センサｓ１は原稿載置台２４に原稿Ｐが載置されているかどうかを判断し、前記給紙センサｓ２は、原稿搬送路Ｒｔ１に供給された原稿Ｐの前端を検出することによって、原稿Ｐが原稿搬送路Ｒｔ１に供給されたかどうかを判断する。また、前記重送センサｓ３は、原稿搬送路Ｒｔ１の内縁側に配設された送信側センサ部ｑｓ、及び原稿搬送路Ｒｔ１の外縁側に配設された受信側センサ部ｑｒから成り、原稿搬送路Ｒｔ１を複数の原稿Ｐが重なって搬送されているかどうかを判断する。そして、前記スキャンタイミングセンサｓ４は、原稿Ｐの前端を検出し、原稿Ｐの画像を読み取るタイミング、すなわち、読取タイミングを取る。
【００２３】
なお、複数の原稿Ｐが重なって搬送されているかどうかを判断するために、前記送信側センサ部ｑｓは、超音波を発生させて原稿搬送路Ｒｔ１を介して受信側センサ部ｑｒに送り、受信側センサ部ｑｒは、送信側センサ部ｑｓから送られた超音波を受けて、電気信号に変換する。本実施の形態においては、送信側センサ部ｑｓ及び受信側センサ部ｑｒとして、いずれも、圧電セラミックから成る超音波センサが使用される。
【００２４】
ところで、前記原稿載置台２４に載置された原稿Ｐが、ホッチキス（登録商標）の針、クリップ等の綴じ具によって綴じられている場合、原稿載置台２４の原稿Ｐをピックアップローラ２６が繰り出しても、給紙ローラ対ｍ１によって１枚ずつ給紙することができず、その結果、原稿Ｐが繰り出されたときに紙詰まりが発生したり、原稿Ｐが破断したりしてしまう。
【００２５】
そこで、本実施の形態においては、綴じ具によって綴じられている原稿Ｐがピックアップローラ２６によって繰り出され、給紙ローラ対ｍ１による給紙が開始された場合に、給紙に伴って原稿Ｐに生じる変形である第１の搬送異常、本実施の形態においては、原稿Ｐの撓みを検出することによって原稿Ｐの搬送を停止し、原稿Ｐが繰り出されたときに紙詰まりが発生したり、原稿Ｐが破断したりするのを防止するようになっている。
【００２６】
そのために、原稿載置台２４の上方におけるピックアップローラ２６と給紙ローラ対ｍ１との間に、撓み検出部としての、かつ、揺動部材としての回転レバー３５が揺動自在に配設される。該回転レバー３５は、原稿Ｐの幅方向に延在させられ、回転自在に配設されたシャフトｓｈ２、及び該シャフトｓｈ２の長さ方向における複数箇所、本実施の形態においては、４箇所に、後方に向けて突出させて形成され、「Ｌ」字状の形状を有するレバー３７を備え、該各レバー３７は、シャフトｓｈ２から斜め下方に向けて延在させられた第１のアームａｍ１、及び該第１のアームａｍ１の先端から斜め上方に向けて延在させられた第２のアームａｍ２から成る。
【００２７】
そして、原稿載置台２４の所定の箇所に、本実施の形態においては、前記原稿搬送路Ｒｔ１における分離ローラ２８より上流側に、レバー３７と対向させて、第１の検出部としての撓みセンサｓ５が配設される。
【００２８】
原稿Ｐに撓みが生じて原稿Ｐが前記回転レバー３５に当接すると、回転レバー３５が回動させられ、前記撓みセンサｓ５は、回転レバー３５の回動を検出することによって、原稿Ｐに生じた撓みを検出し、検出信号を生成し、後述される制御部８０（図１）に送る。なお、撓みセンサｓ５として、フォトセンサを使用することができる。
【００２９】
また、本実施の形態においては、綴じ具によって綴じられている原稿Ｐがピックアップローラ２６によって繰り出され、給紙ローラ対ｍ１による給紙が開始された場合に、給紙に伴って原稿Ｐに生じる変形である第２の搬送異常、本実施の形態においては、原稿Ｐのめくれを検出することによって原稿Ｐの搬送を停止し、原稿Ｐが繰り出されたときに紙詰まりが発生したり、原稿Ｐが破断したりするのを防止するようになっている。
【００３０】
そのために、本実施の形態においては、前記原稿載置台２４の両縁において、ガイドＧＬ、ＧＲにおける所定の高さの部分から内側に向けて突出させて、かつ、互いに対向させて規制部材４３、４４が形成される。該各規制部材４３、４４は、原稿載置台２４と平行に延在させられる第１の規制部ｐ１、及び該第１の規制部ｐ１の後端から斜め上方に向けて延在させられる第２の規制部ｐ２から成り、原稿載置台２４に載置される原稿Ｐの量を規制するとともに、原稿Ｐの高さ方向の移動を規制する。
【００３１】
そして、前記規制部材４３、４４の所定の箇所、本実施の形態においては、第２の規制部ｐ２の下面に、第２の検出部としてのめくれセンサｓ６、ｓ７が取り付けられる。
【００３２】
原稿Ｐにめくれが生じて原稿Ｐがめくれセンサｓ６、ｓ７に当接すると、めくれセンサｓ６、ｓ７は、原稿Ｐに生じためくれを検出し、検出信号を生成し、制御部８０に送る。なお、めくれセンサｓ６、ｓ７として、軽い負荷で動作するプッシュスイッチ、マイクロスイッチ等を使用することができる。また、めくれセンサｓ６、ｓ７を、原稿Ｐにめくれが生じて原稿Ｐが当接すると回動させられるレバー、及び該レバーと対向させて配設されたフォトセンサによって形成することができる。
【００３３】
次に、前記画像読取装置１０の制御装置について説明する。
【００３４】
図１は本発明の実施の形態における画像読取装置の制御ブロック図である。
【００３５】
図において、１０は画像読取装置、１６はスキャナ部、８０は、ＣＰＵから成り、画像読取装置１０の全体の制御を行う制御部、８１は各種のデータを一時的に記録する第１の記憶装置としてのＲＡＭ、８２は各種の制御プログラムを記録する第２の記憶装置としてのＲＯＭ、８４は操作部、８５は表示部、Ｍ１は原稿Ｐを搬送するための搬送用の駆動部としての原稿搬送モータ、８８は該原稿搬送モータＭ１を駆動するためのモータ駆動部、Ｍ２はスキャナ部１６を副走査方向に移動させるための走査用の駆動部としてのスキャナモータ、８９は該スキャナモータＭ２を駆動するためのモータ駆動部である。
【００３６】
また、ｓ１は原稿センサ、ｓ２は給紙センサ、ｓ３は重送センサ、ｓ４はスキャンタイミングセンサ、ｓ５は撓みセンサ、ｓ６、ｓ７はめくれセンサである。前記重送センサｓ３は、原稿搬送路Ｒｔ１を挟んで配設された送信側センサ部ｑｓ及び受信側センサ部ｑｒから成り、複数の原稿Ｐが重なって搬送されているかどうかを判断する。そして、９１は、送信側センサ部ｑｓに駆動信号を送り、送信側センサ部ｑｓにおいて超音波を発生させるための送信側回路、９２は、受信側センサｑｒが送信側センサ部ｑｓから送られた超音波を受けて発生させた電気信号を変換し、制御部８０に出力信号を送る受信側回路である。
【００３７】
前記制御部８０は、ＲＯＭ８２に記録された制御プログラムを実行することによって各種の処理を行い、前記原稿Ｐを搬送する媒体搬送処理部としての原稿搬送処理部Ｐｒ１、原稿Ｐの画像を読み取る画像読取処理部Ｐｒ２、複数の原稿Ｐが綴じられているかどうかを判断する媒体状態判断処理部としての原稿状態判断処理部Ｐｒ３、複数の原稿Ｐが綴じられていること、並びに原稿Ｐの搬送及び画像の読取りを停止させたことを操作者に通知する通知処理部Ｐｒ４等を備える。
【００３８】
次に、前記画像読取装置１０の動作について説明する。
【００３９】
画像読取装置１０において、冊子状の原稿又は１枚のシート状の原稿の画像を読み取る場合、操作者が、スキャナカバー部１７（図２）を持ち上げて開き、冊子状の原稿又は１枚のシート状の原稿をフラットベッド１４上に置き、操作部８４を操作して図示されない画像読取開始ボタンを押下するか、又は上位装置としての図示されないホストコンピュータから画像読取開始信号が制御部８０に送られると、画像読取処理部Ｐｒ２は、モータ駆動部８９に指示を送り、スキャナモータＭ２を駆動させ、スキャナ部１６を副走査方向に移動させる。
【００４０】
そして、該スキャナ部１６は読取センサによって冊子状の原稿又は１枚のシート状の原稿の画像を読み取る。
【００４１】
また、前記画像読取装置１０において、複数のシート状の原稿Ｐの画像を連続して読み取る場合、操作者が原稿載置台２４に原稿Ｐを載置すると、原稿Ｐが原稿センサｓ１に当接し、原稿センサｓ１は、原稿Ｐを検出し、センサ出力、すなわち、検出信号を制御部８０に送る。これにより、制御部８０は原稿載置台２４に原稿Ｐが載置されたと判断する。
【００４２】
続いて、操作者が前記操作部８４の画像読取開始ボタンを押下するか、又はホストコンピュータから画像読取開始信号が制御部８０に送られると、原稿搬送処理部Ｐｒ１は、モータ駆動部８８に指示を送り、原稿搬送モータＭ１を駆動し、これに伴って、前記ピックアップローラ２６、給紙ローラ対ｍ１、搬送ローラ対ｍ２〜ｍ４及び排出ローラ対ｍ５が回転させられる。
【００４３】
そして、原稿載置台２４に載置された原稿Ｐは、ピックアップローラ２６によって１枚ずつ繰り出され、給紙ローラ対ｍ１によって分離させられて原稿搬送部Ｒｔ１に送られる。このとき、給紙センサｓ２は原稿Ｐの前端を検出し、検出信号を制御部８０に送る。
【００４４】
制御部８０は、検出信号を受けると、原稿Ｐが原稿搬送路Ｒｔ１に送られたと判断し、原稿状態判断処理部Ｐｒ３は複数の原稿Ｐが重なって搬送されているかどうかを判断する。そのために、制御部８０は、送信側回路９１を介して送信側センサ部ｑｓに駆動信号を送り、送信側センサ部ｑｓにおいて超音波を発生させ、受信側センサ部ｑｒによって発生させられた電気信号に基づいて受信側回路９２によって発生させられた出力信号を受け、該出力信号の信号レベルが閾値より低いかどうかによって、複数の原稿Ｐが重なって搬送されているかどうかを判断する。
【００４５】
出力信号の信号レベルが閾値より低く、複数の原稿Ｐが重なって搬送されていないと判断されると、原稿Ｐは、搬送ローラ対ｍ２、ｍ３によって原稿搬送路Ｒｔ１を搬送され、スキャンタイミングセンサｓ４によって前端が検出される。スキャンタイミングセンサｓ４が原稿Ｐの前端を検出し、生成した検出信号を制御部８０に送ると、前記画像読取処理部Ｐｒ２は、所定の時間が経過した後の、原稿Ｐが原稿押え部材３１とフラットベッド１４との間を通過するタイミングで、原稿Ｐの画像を読み取る。
【００４６】
そして、画像の読取りが終了した原稿Ｐは、搬送ローラ対ｍ４によって原稿搬送路Ｒｔ１を搬送され、排出ローラ対ｍ５によって、スタッカＳｔに排出される。
【００４７】
次に、綴じ具によって綴じられている原稿Ｐが原稿載置台２４に載置されたときの画像読取装置１０の動作について説明する。なお、本実施の形態においては、２枚の原稿Ｐが綴じ具によって綴じられている場合について説明する。
【００４８】
まず、綴じ具によって前端部が綴じられている原稿Ｐが原稿載置台２４に載置された場合の画像読取装置１０の動作について説明する。
【００４９】
図５は本発明の実施の形態における綴じ具によって前端部が綴じられた複数の原稿が原稿載置台に載置された状態を示す自動原稿搬送部の要部平面図、図６は本発明の実施の形態における綴じ具によって前端部が綴じられた複数の原稿が原稿載置台に載置された状態を示す自動原稿搬送部の要部断面図、図７は本発明の実施の形態における原稿に撓みが生じた状態を示す自動原稿搬送部の要部断面図、図８は本発明の実施の形態における原稿に撓みが生じた状態を示す自動原稿搬送部の要部平面図である。
【００５０】
図において、２４は原稿載置台、２６はピックアップローラ、２７は給紙ローラ、２８は分離ローラ、３５は回転レバー、４３、４４は規制部材、ＧＬ、ＧＲはガイド、ｍ１は給紙ローラ対、ｍ２は搬送ローラ対、ｓ１は原稿センサ、ｓ２は給紙センサ、ｓ７はめくれセンサ、Ｐ１は原稿載置台２４に載置された原稿のうちの最も上の１枚目の原稿、Ｐ２は２枚目の原稿、Ｐｊ（ｊ＝１、２、…）は３枚目以降の原稿、Ｈｋは原稿Ｐ１、Ｐ２の前端部を綴じるホッチキス（登録商標）の針、クリップ等の綴じ具、Ａｒ１、Ａｒ２は原稿Ｐ１に生じた変形、すなわち、撓みである。なお、この場合、原稿Ｐ１、Ｐ２の前端部の右縁側が綴じ具Ｈｋによって綴じられている。
【００５１】
操作者が前記操作部８４（図１）を操作して画像読取開始ボタンを押下するか、又はホストコンピュータから画像読取開始信号が制御部８０に送られると、ピックアップローラ２６が回転させられ、原稿Ｐ１が給紙ローラ２７と分離ローラ２８との間に送られる。
【００５２】
このとき、綴じ具Ｈｋによって綴じられていない原稿Ｐ１の左縁側は給紙ローラ２７によって給紙されようとするが、綴じられている右縁側は分離ローラ２８によって給紙が阻止される。
【００５３】
これにより、原稿Ｐ１の綴じられていない左縁側と綴じられている右縁側とで搬送力に差が生じ、図８において破線で示されるように原稿Ｐ１が斜行しようとするが、ガイドＧＬ、ＧＲによって原稿Ｐ１が幅方向に移動するのが規制される。
【００５４】
その結果、原稿Ｐ１の左縁側に撓みＡｒ１、Ａｒ２が生じる。
【００５５】
撓みＡｒ１が生じると、原稿Ｐ１の前端が回転レバー３５に当接させられ、回転レバー３５が回動させられ、撓みセンサｓ５（図２）によって撓みＡｒ１が検出され、検出信号が生成され、制御部８０に送られる。制御部８０の原稿状態判断処理部Ｐｒ３は、検出信号を受けて、原稿Ｐ１、Ｐ２の前端部が綴じ具Ｈｋによって綴じられていると判断する。
【００５６】
そして、原稿搬送処理部Ｐｒ１は、ピックアップローラ２６、給紙ローラ対ｍ１、搬送ローラ対ｍ２〜ｍ４及び排出ローラ対ｍ５の回転を停止させ、画像読取処理部Ｐｒ２はスキャナ部１６による画像の読取りを停止させ、通知処理部Ｐｒ４は、表示部８５にメッセージを表示することによって、原稿Ｐ１、Ｐ２の前端部が綴じられていること、並びに原稿Ｐの搬送及び画像の読取りを停止させたことを操作者に通知する。
【００５７】
次に、綴じ具によって後端部が綴じられている原稿Ｐが原稿載置台２４に載置された場合の画像読取装置１０の動作について説明する。
【００５８】
図９は本発明の実施の形態における綴じ具によって後端部が綴じられた複数の原稿が原稿載置台に載置された状態を示す自動原稿搬送部の要部平面図、図１０は本発明の実施の形態における綴じ具によって後端部が綴じられた複数の原稿が原稿載置台に載置された状態を示す自動原稿搬送部の要部断面図、図１１は本発明の実施の形態における原稿にめくれが生じた状態を示す自動原稿搬送部の要部断面図、図１２は本発明の実施の形態における原稿にめくれが生じた状態を示す自動原稿搬送部の要部平面図である。
【００５９】
図において、２４は原稿載置台、２６はピックアップローラ、２７は給紙ローラ、２８は分離ローラ、３５は回転レバー、４３、４４は規制部材、ＧＬ、ＧＲはガイド、ｍ１は給紙ローラ対、ｍ２は搬送ローラ対、ｓ１は原稿センサ、ｓ２は給紙センサ、ｓ６、ｓ７はめくれセンサ、Ｐ１は原稿載置台２４に載置された原稿のうちの最も上の１枚目の原稿、Ｐ２は２枚目の原稿、Ｐｊは３枚目以降の原稿、Ｈｋは原稿Ｐ１、Ｐ２の後端部を綴じる綴じ具、Ａｒ３、Ａｒ４は原稿Ｐ１に生じた変形、すなわち、めくれである。なお、この場合、原稿Ｐ１、Ｐ２の後端部の右縁側が綴じ具Ｈｋによって綴じられている。
【００６０】
操作者が前記操作部８４を操作して画像読取開始ボタンを押下するか、又はホストコンピュータから画像読取開始信号が制御部８０に送られると、ピックアップローラ２６が回転させられ、原稿Ｐ１が給紙ローラ２７と分離ローラ２８との間に送られる。
【００６１】
このとき、原稿Ｐ１は、前端が、給紙ローラ２７及び分離ローラ２８によって原稿Ｐ２と分離させられ、給紙されようとするが、後端が、綴じ具Ｈｋによって原稿Ｐ２と綴じられているので、給紙が阻止され、図１１及び１２に示されるように、原稿Ｐ１の後端にめくれＡｒ３が、原稿Ｐ２の後端にめくれＡｒ４が生じる。
【００６２】
原稿Ｐ１の後端にめくれＡｒ３が生じると、原稿Ｐ１の後端の右縁側が、規制部材４４によって規制されるとともに、めくれセンサｓ７に当接し、めくれセンサｓ７によってめくれＡｒ３が検出され、検出信号が生成され、制御部８０に送られる。制御部８０の原稿状態判断処理部Ｐｒ３は、原稿Ｐ１、Ｐ２の後端部が綴じ具Ｈｋによって綴じられていると判断する。
【００６３】
そして、原稿搬送処理部Ｐｒ１は、ピックアップローラ２６、給紙ローラ対ｍ１、搬送ローラ対ｍ２〜ｍ４及び排出ローラ対ｍ５の回転を停止させ、画像読取処理部Ｐｒ２はスキャナ部１６による画像の読取りを停止させ、通知処理部Ｐｒ４は、表示部８５にメッセージを表示することによって、原稿Ｐ１、Ｐ２の後端部が綴じられていること、並びに原稿Ｐの搬送及び画像の読取りを停止させたことを操作者に通知する。
【００６４】
このように、本実施の形態においては、撓みセンサｓ５及びめくれセンサｓ６、ｓ７が、給紙ローラ対ｍ１による原稿Ｐの原稿搬送路Ｒｔ１（図２）への供給に伴って原稿Ｐに生じる撓み及びめくれを検出し、検出信号を生成し、原稿状態判断処理部Ｐｒ３が、検出信号を受けて、原稿Ｐが綴じられていると判断するので、原稿状態判断処理部Ｐｒ３による判断に基づいて、原稿Ｐの搬送が停止させられる。したがって、原稿Ｐが繰り出されたときに紙詰まりが発生したり、原稿Ｐが破断したりするのを防止することができる。
【００６５】
本実施の形態においては、原稿載置台２４に載置された原稿Ｐが、ピックアップローラ２６によって繰り出され、給紙ローラ対ｍ１によって原稿搬送路Ｒｔ１に供給されるたびに、撓みセンサｓ５及びめくれセンサｓ６、ｓ７の検出信号が読み込みまれ、原稿Ｐが綴じられているかどうかが判断されるようになっているが、原稿載置台２４に載置された１枚目の原稿Ｐ１がピックアップローラ２６によって繰り出され、給紙ローラ対ｍ１によって原稿搬送路Ｒｔ１に供給されるときにだけ、原稿Ｐが綴じられているかどうかを判断し、原稿Ｐ１が綴じられていない場合には、２枚目以降の原稿Ｐ２、Ｐｊについては、綴じられていないことを想定し、原稿Ｐ１が綴じられているかどうかを判断しないようにすることができる。
【００６６】
また、本実施の形態においては、原稿搬送路Ｒｔ１における原稿Ｐの搬送速度が原稿搬送モータＭ１（図１）の仕様によって規定されるようになっているが、原稿Ｐが綴じられていることを想定し、原稿Ｐの搬送速度を低くすることによって、原稿Ｐに撓み、めくれ等が生じたときに原稿Ｐが破損するのを防止するようにすることができる。
【００６７】
本実施の形態においては、スキャナ、複写機、ファクシミリ、複合機等の画像読取装置１０に配設された媒体搬送装置としての自動原稿搬送部１８について説明しているが、本発明を、媒体としての用紙に対して画像を形成するプリンタ等の画像形成装置に配設された、用紙を搬送する媒体搬送装置に適用することができる。
【００６８】
なお、本発明は前記実施の形態に限定されるものではなく、本発明の趣旨に基づいて種々変形させることが可能であり、それらを本発明の範囲から排除するものではない。
【符号の説明】
【００６９】
１８    自動原稿搬送部
２４    原稿載置台
ｍ１    給紙ローラ対
Ｐ、Ｐ１、Ｐ２、Ｐｊ    原稿
Ｐｒ３    原稿状態判断処理部
Ｒｔ１    原稿搬送路
ｓ５    撓みセンサ
ｓ６、ｓ７    めくれセンサ
【図１】
2020001897.tif 000003
【図２】
2020001897.tif 000004
【図３】
2020001897.tif 000005
【図４】
2020001897.tif 000006
【図５】
2020001897.tif 000007
【図６】
2020001897.tif 000008
【図７】
2020001897.tif 000009
【図８】
2020001897.tif 000010
【図９】
2020001897.tif 000011
【図１０】
2020001897.tif 000012
【図１１】
2020001897.tif 000013
【図１２】
2020001897.tif 000014